(57)【要約】【課題】額縁開口寸法に近い出入口寸法を確保できて、例えば入浴者が介護者等と同時に通過可能な浴室の出入口構造を提供する。【解決手段】内部に浴槽が設置されると共に洗い場が設けられ、該洗い場に面した壁パネルに浴室への出入口となる浴室ドアが設置される浴室の出入口構造であって、浴室ドアは、折りたたみ可能な２枚のガラスをそれぞれ有する一対の折戸によって構成される。また、浴室ドアは、洗い場の場に略対応した幅を有して洗い場に隣接する壁パネルに設置されたり、あるいは洗い場の反浴槽側の壁パネルに設置されると共に、額縁の幅方向一端側が洗い場に設けたカウンター近傍に位置し、額縁の幅方向他端側が壁パネルの反カウンター側端部に位置するように設置される。【選択図】  図１
2007169996.tif 000002
【特許請求の範囲】
【請求項１】
内部に浴槽が設置されると共に洗い場が設けられ、前記洗い場に面した壁パネルに浴室への出入口となる浴室ドアが設置される浴室の出入口構造であって、
前記浴室ドアは、折りたたみ可能な２枚のガラス戸をそれぞれ有する一対の折戸によって構成されていることを特徴とする浴室の出入口構造。
【請求項２】
前記浴室ドアは、洗い場の幅に略対応した幅を有して洗い場に隣接する壁パネルに設置されていることを特徴とする請求項１に記載の浴室の出入口構造。
【請求項３】
前記浴室ドアは、反浴槽側の壁パネルに設置されると共に、額縁の幅方向一端側が洗い場に設けたカウンター近傍に位置し、額縁の幅方向他端側が前記壁パネルの反カウンター側端部に位置していることを特徴とする請求項１または２に記載の浴室の出入口構造。
【発明の詳細な説明】
【技術分野】
【０００１】
本発明は、システムバスルーム等の浴室における出入口構造に係わり、特に高齢者等の入浴者と介護者が同時に出入り可能な浴室の出入口構造に関する。
【背景技術】
【０００２】
従来、例えばシステムバスルームの浴室においては、浴室への出入口部分の壁パネルに浴室ドアが設置されている。この浴室ドアとしては、例えば図４（ａ）に示す２枚のドア１０１ａ、１０１ｂからなる折戸タイプ（特許文献１参照）、図４（ｂ）に示す２枚のドア１０２ａ１０２ｂからなる引戸タイプ、あるいは図４（ｃ）に示す３枚のドア１０３ａ〜１０３ｃからなる３枚引戸タイプ（特許文献２参照）等が使用されている。
【特許文献１】特開平８−２７０３３８号公報
【特許文献２】特開２００１−２９５５６３号公報
【発明の開示】
【発明が解決しようとする課題】
【０００３】
しかしながら、このような出入口構造においては、出入口の寸法を十分に大きくすることが困難で、例えば歩行困難な高齢者や病人等の入浴者と介護者とが同時に出入口をスムーズに通過することが難しい。すなわち、図４（ａ）に示す折戸タイプの場合は、額縁１０４の開口寸法（以下、額縁開口寸法Ｌ２という）と出入口寸法Ｌ１が例えば壁パネル１０５の幅寸法の１／２程度と比較的小さく設定され、また、図４（ｂ）に示す引戸タイプの場合は、額縁開口寸法Ｌ２が大きくなるものの出入口寸法Ｌ１が略１枚のドア幅となって、十分な出入口寸法Ｌ１を確保することが難しい。さらに、図４（ｃ）に示す３枚引戸タイプの場合は、額縁開口寸法Ｌ２や出入口寸法Ｌ１を折戸タイプや引戸タイプ（２枚引戸）に対して大きく設定できるものの、出入口寸法Ｌ１が略２枚のドア幅となって、額縁開口寸法Ｌ２に近い出入口寸法Ｌ１を確保することが難しい。
【０００４】
本発明は、このような事情に鑑みてなされたもので、その目的は、額縁開口寸法に近い出入口寸法を確保できて、例えば入浴者が介護者等と同時に通過可能な浴室の出入口構造を提供することにある。
【課題を解決するための手段】
【０００５】
かかる目的を達成すべく、本発明のうち請求項１に記載の発明は、内部に浴槽が設置されると共に洗い場が設けられ、該洗い場に面した壁パネルに浴室への出入口となる浴室ドアが設置される浴室の出入口構造であって、前記浴室ドアは、折りたたみ可能な２枚のガラス戸をそれぞれ有する一対の折戸によって構成されていることを特徴とする。
【０００６】
また、前記浴室ドアは、請求項２に記載の発明のように、洗い場の幅に略対応した幅を有して洗い場に隣接する壁パネルに設置されていたり、請求項３に記載の発明のように、
洗い場の反浴槽側の壁パネルに設置されると共に、額縁の幅方向一端側が洗い場に設けたカウンター近傍に位置し、額縁の幅方向他端側が前記壁パネルの反カウンター側端部に位置していることが好ましい。
【発明の効果】
【０００７】
本発明の請求項１に記載の発明によれば、浴室の洗い場に面した壁パネルに設置されて浴室への出入口となる浴室ドアが、折りたたみ可能な２枚のガラス戸をそれぞれ有する一対の折戸で構成されているため、両折戸をそれぞれ折りたたむことで額縁開口寸法に近い出入口寸法を確保することができて、例えば入浴者が介護者等と同時に出入口をスムーズに通過して浴室内に出入りすることができる。
【０００８】
また、請求項２に記載の発明によれば、請求項１に記載の発明の効果に加え、浴室ドアが洗い場の幅に略対応した幅を有して洗い場に隣接する壁パネルに設置されているため、浴室ドアの幅自体を大きくできて、一層大きな出入口寸法を確保することができる。
【０００９】
また、請求項３に記載の発明によれば、請求項１または２に記載の発明の効果に加え、浴室ドアが洗い場の反浴槽側の壁パネルに設置され、その額縁の一端側が洗い場に設けたカウンター近傍に位置し他端側が壁パネルの反カウンター側端部に位置するため、浴室の反浴槽側の壁パネルに広い面積で浴室ドアを設置することができて、より一層大きな出入口寸法を確保することができる。
【発明を実施するための最良の形態】
【００１０】
以下、本発明の実施の形態を図面に基づいて詳細に説明する。
図１〜図３は、本発明に係わる浴室の出入口構造の一実施形態を示し、図１が該出入口構造を採用した浴室の概略平面図、図２がその出入口部分の正面図、図３が浴室ドアの開閉動作の説明図である。
【００１１】
図１に示すように、浴室１は、４枚の壁パネル２ａ〜２ｄと、図示しない浴槽側パン及び洗い場側パンからなるフロア等により形成され、浴槽側パン上には浴槽３が設置され、この浴槽３の側方には洗い場側パンの表面によって洗い場４が形成されている。また、洗い場４の壁パネル２ｂ側にはカウンター５が配置されると共に、壁パネル２ｃには洗い場４の壁パネル２ｃと隣接する辺の長さと略同一幅の浴室ドア６が設置されている。
【００１２】
この浴室ドア６は、図２に示すように、額縁８の開口８ａ内に配置されると共に所定幅の２枚のガラス戸７をそれぞれ有する一対の折戸６ａ、６ｂによって形成され、両折戸６ａ、６ｂの各ガラス戸７が図示しないヒンジによりそれぞれ折りたたみ可能に連結されている。この時、両折戸６ａ、６ｂは、浴室１内方向に折りたたみ可能に構成されると共に、浴室ドア６の額縁８は、図１に示すように、その一端側（右端側）が洗い場４のカウンター６近傍の間柱９部分に位置し、他端側（左端側）が壁パネル２ｃと壁パネル２ｄの連結部の間柱１０部分に位置するように設定されている。なお、両折戸６ａ、６ｂの所定位置には把手１１（図２参照）がそれぞれ設けられており、この把手１１に対応して、例えば浴室１の壁パネル２ｃ、２ｄ内面に図示しない握り棒等が設置されている。
【００１３】
この浴室ドア６は、図３（ａ）に示すように、両折戸６ａ、６ｂの各ガラス戸７が開いた状態において、壁パネル２ｃに設けられた額縁８の開口８ａが２枚の折戸６ａ、６ｂで塞がれて、浴室１の出入口（浴室ドア６）が閉塞されている。また、この閉塞状態で、図３（ｂ）に示すように、一方の折戸６ｂを折りたたむと、この折戸６ｂに対応した出入口寸法Ｌ１−１が確保され、例えば一人の入浴者が浴室１に出入りできることになる。また、図３（ｃ）に示すように、他方の折戸６ａも折りたたむと、両折戸６ａ、６ｂが折りたたまれて前記出入口寸法Ｌ１−１が大幅に拡大して額縁開口寸法Ｌ２に近い出入口寸法Ｌ１−２となる。この両折戸６ａ、６ｂの折りたたみによる出入口寸法Ｌ１−２の確保により、例えば高齢者等の被介護者と介護者が同時に出入口（浴室ドア６）を通過できることになる。
【００１４】
このように、上記実施形態の浴室１にあっては、出入口となる浴室ドア６が、２枚のガラス戸７をそれぞれ有する一対の折戸６ａ、６ｂで構成されているため、両折戸６ａ、６ｂを折りたたむことで出入口寸法Ｌ１を、従来の最も広い寸法Ｌ１が得られる３枚引戸タイプに比較して拡大でき、額縁開口寸法Ｌ２に近い出入口寸法Ｌ１−２を確保することができて、例えば高齢者や身体障害者、病人等の介護を必要とする入浴者が介護者等と共に略同時に、開放状態の浴室ドア６部分をスムーズに通過して浴室１に出入りすることができる。
【００１５】
特に、浴室ドア６が洗い場４の反浴槽３側の壁パネル２ｃに設置され、その額縁８の幅方向の一端側がカウンター６近傍に位置し他端側が壁パネル２ｃと壁パネル２ｄの連結部（コーナ部）近傍に位置するため、浴室１の反浴槽３側の壁パネル２ｃに広い面積で浴室ドア６を設置することができ、出入口寸法Ｌ１−２を一層大きく確保することができる。
【００１６】
また、浴室ドア６が１対の折戸６ａ、６ｂで構成されているため、例えば入浴者が一方の折戸６ａ、６ｂのみを折りたたんで出入口寸法Ｌ１−１を確保して浴室１内に出入りすることもできる等、両折戸６ａ、６ｂを入浴者が所望に開閉動作できて、使い勝手に優れた浴室ドア６を得ることができる。さらに、浴室ドア６の両折戸６ａ、６ｂが浴室１内側に折りたたみ可能に形成されているため、入浴者の浴室１内への出入りをスムーズかつ安全に行うこと等が可能となる。
【００１７】
なお、上記実施形態においては、浴室ドア６を壁パネル２ｃに設置したが、本発明はこの構成に限定されず、カウンター５と対向する壁パネル２ｄに設置することもできるし、浴室ドア６の幅、すなわち額縁開口寸法Ｌ２も、上記実施例に限定されず、浴室１の大きさに応じ出入口寸法として最大寸法が得られる適宜の構成を採用することができる。また、上記実施形態における、浴室１内の浴槽３やカウンター５の形状、配置位置、一対の折戸６ａ、６ｂ自体の把手１１の位置、両折戸６ａ、６ｂの折りたたみ方向等の構成も一例であって、本発明に係わる各発明の要旨を逸脱しない範囲において適宜に変更することができる。
【産業上の利用可能性】
【００１８】
本発明は、システムバスルーム等のシステム化された浴室への適用に限らず、例えば個別に設けられる浴室の出入口にも適用できる。
【図面の簡単な説明】
【００１９】
【図１】本発明に係わる出入口構造を採用した浴室の一実施形態を示す概略平面図
【図２】同その出入口部分の正面図
【図３】同浴室ドアの開閉動作の説明図
【図４】従来の浴室ドアの各例を示す概略平面図
【符号の説明】
【００２０】
１・・・浴室、２ａ〜２ｄ・・・壁パネル、３・・・浴槽、４・・・洗い場、５・・・カウンター、６・・・浴室ドア、６ａ、６ｂ・・・引戸、７・・・ガラス戸、８・・・額縁、８ａ・・・開口、９、１０・・・間柱、１１・・・把手、Ｌ１、Ｌ１−１、Ｌ１−２・・・出入口寸法、Ｌ２・・・額縁開口寸法。
【図１】
2007169996.tif 000003
【図２】
2007169996.tif 000004
【図３】
2007169996.tif 000005
【図４】
2007169996.tif 000006